(57)【要約】【課題】  壁，屋根等の外囲体であって、並設された複数の建築用板の隣接箇所にカバー材を被覆する構成としたものであり、特に隣接する建築用板間におけるカバー材の装着作業を簡単で確実且つ極めて強固に装着すること。【解決手段】  主板１の幅方向の一方側に被挿入空隙部Ｓが形成され，他方側に被嵌合部４が形成された建築用板Ａ，Ａ，…が母屋，胴縁等の下地部１２上に並設されること。前記建築用板Ａの被挿入空隙部Ｓにカバー材Ｂの幅方向他方側の挿入部９が挿入されるとともに、前記カバー材Ｂの一方側に形成された嵌合部８が前記建築用板Ａに隣接する次位の建築用板Ａの被嵌合部４に嵌合されてなること。【選択図】      図１
2006161422.tif 000002
【特許請求の範囲】
【請求項１】
主板の幅方向の一方側に被挿入空隙部が形成され，他方側に被嵌合部が形成された建築用板が母屋，胴縁等の下地部上に並設され、前記建築用板の被挿入空隙部にカバー材の幅方向他方側の挿入部が挿入されるとともに、前記カバー材の一方側に形成された嵌合部が前記建築用板に隣接する次位の建築用板の被嵌合部に嵌合されてなることを特徴とする外囲体。
【請求項２】
複数の山形部が並列してなる主板と，該主板の幅方向の一方側より内方に向かって形成された折返し部と，該折返し部とともに被挿入空隙部を形成し，且つ前記主板から外方に突出する第１取付部と，前記主板の幅方向他方側より外方に形成された被嵌合部と，該被嵌合部の外端から形成された第２取付部とからなる建築用板と、山形状のカバー主板部の幅方向一方側から内方に向かって形成された嵌合部と，カバー主板部の幅方向一端側より外方に突出形成された挿入部とからなるカバー材と、母屋，胴縁等の下地部からなり、前記下地部上に前記複数の建築用板が並設され、前記建築用板の被挿入空隙部に、前記カバー材の挿入部８が挿入されるとともに、前記建築用板に隣接する次位の建築用板の被嵌合部にカバー材の嵌合部が嵌合されてなることを特徴とする外囲体。
【請求項３】
請求項１又は２において、前記建築用板の被挿入空隙部に挿入された前記カバー材の挿入部は、前記折返し部と第１取付部に押圧接触されてなることを特徴とする外囲体。
【請求項４】
請求項１，２又は３において、前記カバー材の挿入部は、略平坦状の挿入板片と、該挿入板片の先端から折返して形成された弾性板片とからなることを特徴とする外囲体。
【請求項５】
請求項１，２，３又は４において、前記建築用板の主板及びカバー材のカバー主板部は、多数の平坦面が連続して断面略多角形状のアーチとしてなることを特徴とする外囲体。
【請求項６】
請求項２，３，４又は５において、前記建築用板の隣接する山形部間には連結底面が形成され、該連結底面は、前記下地部との間に適宜に間隔を有してなることを特徴とする外囲体。
【請求項７】
請求項２，３，４，５又は６において、前記建築用板の折返し部は主板の外端から内方に向かって主板側に傾斜してなることを特徴とする外囲体。
【請求項８】
請求項１，２，３，４，５，６又は７において、前記被挿入空隙部と挿入部との適正な挿入状態で前記被挿入空隙部の内端と挿入部の先端との間に適宜の隙間が存在するようにしてなることを特徴とする外囲体。
【請求項９】
請求項１，２，３，４，５，６，７又は８において、前記建築用板の幅方向の一方側端部には、前記第１取付部に対して略垂直状の立上り片と該立上り片の頂部から外方に略水平状に形成された水平状頂片とからなる第１終端立上り部が形成され、前記建築用板の幅方向の他方側端部には前記第２取付部に対して略垂直状の立上り片と該立上り片の頂部から内方に略水平状に形成された水平状頂片とからなる第２終端立上り部が形成され、前記第１終端立上り部は前記第２終端立上り部よりも高く形成されてなることを特徴とする外囲体。
【発明の詳細な説明】
【技術分野】
【０００１】
本発明は、並設された複数の建築用板の隣接箇所にカバー材を被覆する構成としたものであって、特に隣接する建築用板間におけるカバー材の装着作業を簡単で確実且つ極めて強固に装着することができる外囲体に関する。
【背景技術】
【０００２】
従来より、種々の壁，屋根等の外囲体が存在している。この種のものにおいて、多数の建築用板が並設され、その隣接する建築用板の対向する箇所にカバー材を被覆して、建築用板の固定箇所を保護するタイプのものが存在する。その多くのものでは、隣接する建築用板とカバー材とを相互に嵌合させて、装着するタイプである。これは、ビス等の固着具を使用しないで、カバー材を装着することができるので、施工が簡単であり、施工効率が良好で、工期を短くすることができる。
【特許文献１】特開２０００−３２００８０
【発明の開示】
【発明が解決しようとする課題】
【０００３】
特許文献１に開示されていタイプでは、記載されている符号とともに説明すると、化粧カバーは、幅方向両側に被係止部(14,14) が形成され、該被係止部(14,14) を取付け金具(5) のカバー係止片に係止させて、化粧カバーを装着するものである。ところで、その化粧カバーを装着するのは、カバー材を所定位置の上方より取付け金具(5) に押さえつけるようにして被係止部(14,14) を係止させようとするものである。しかし、その化粧カバーを装着箇所に押さえつける際に、両被係止部(14,14) が充分にカバー係止片(9,9) の位置を越えるとともに拡開するが、その被係止部(14,14) が係止するよりも前に、その被係止部(14,14) の下端が屋根板材表面に当接してしまい、両被係止部(14,14) がより深く下方に移動することができず、カバー係止片(9,9) に確実に係止しないおそれがある。
【０００４】
そのために、前記化粧カバーの被係止部(14,14) をカバー係止片(9,9) に係止するために、被係止部(14,14) と屋根板材表面とが当接しない程度に、化粧カバーの押し込みによる充分な余裕を持たせる必要があるが、このようにすると、化粧カバーの装着部分が必要以上にサイズが大きくなってしまう。また、化粧カバーの頂部裏面側と取付け金具(5) との接触が緩いと、被係止部(14,14) とカバー係止片(9,9) との係止状態も緩くなってしまい、化粧カバーにはガタが発生するおそれもある。さらに、屋根板材及び化粧カバーは、熱伸縮によって、形状が変形し、ひいては嵌合装着箇所が外れてしまうおそれも充分にありうる。本発明の目的は、このような化粧カバー等のカバー材の装着を極めて簡単で且つ確実に行なうことができるようにすることにある。
【課題を解決するための手段】
【０００５】
そこで、発明者は、上記課題を解決すべく、鋭意，研究を重ねた結果、請求項１の発明を、主板の幅方向の一方側に被挿入空隙部が形成され，他方側に被嵌合部が形成された建築用板が母屋，胴縁等の下地部上に並設され、前記建築用板の被挿入空隙部にカバー材の幅方向他方側の挿入部が挿入されるとともに、前記カバー材の一方側に形成された嵌合部が前記建築用板に隣接する次位の建築用板の被嵌合部に嵌合されてなる外囲体としたことにより、上記課題を解決したものである。
【０００６】
次に請求項２の発明は、複数の山形部が並列してなる主板と，該主板の幅方向の一方側より内方に向かって形成された折返し部と，該折返し部とともに被挿入空隙部を形成し，且つ前記主板から外方に突出する第１取付部と，前記主板の幅方向他方側より外方に形成された被嵌合部と，該被嵌合部の外端から形成された第２取付部とからなる建築用板と、山形状のカバー主板部の幅方向一方側から内方に向かって形成された嵌合部と，カバー主板部の幅方向一端側より外方に突出形成された挿入部とからなるカバー材と、母屋，胴縁等の下地部からなり、前記下地部上に前記複数の建築用板が並設され、前記建築用板の被挿入空隙部に、前記カバー材の挿入部が挿入されるとともに、前記建築用板に隣接する次位の建築用板の被嵌合部にカバー材の嵌合部が嵌合されてなる外囲体としたことにより、上記課題を解決したものである。
【０００７】
次に、請求項３の発明は、前述の構成において、  前記建築用板の被挿入空隙部に挿入された前記カバー材の挿入部は、前記折返し部と第１取付部に押圧接触されてなる外囲体としたことにより、上記課題を解決したものである。次に、請求項４の発明は、前述の構成において、前記カバー材の挿入部は、略平坦状の挿入板片と、該挿入板片の先端から折返して形成された弾性板片とからなる外囲体としたことにより、上記課題を解決したものである。さらに、請求項５の発明は、前述の構成において、前記建築用板の主板及びカバー材のカバー主板部は、多数の平坦面が連続して断面略多角形状のアーチとしてなる外囲体としたことにより、上記課題を解決したものである。
【０００８】
請求項６の発明は、前述の構成において、前記建築用板の隣接する山形部間には連結底面が形成され、該連結底面は、前記下地部との間に適宜に間隔を有してなる外囲体としたことにより、上記課題を解決したものである。請求項７の発明は、前述の構成において、前記建築用板の折返し部は主板の外端から内方に向かって主板側に傾斜してなる外囲体としたことにより、上記課題を解決したものである。請求項８の発明は、前述の構成において、前記被挿入空隙部と挿入部との適正な挿入状態で前記被挿入空隙部の内端と挿入部の先端との間に適宜の隙間が存在するようにしてなる外囲体としたことにより、上記課題を解決したものである。
【０００９】
次に、請求項９の発明は、前述の構成において、前記建築用板の幅方向の一方側端部には、前記第１取付部に対して略垂直状の立上り片と該立上り片の頂部から外方に略水平状に形成された水平状頂片とからなる第１終端立上り部が形成され、前記建築用板の幅方向の他方側端部には前記第２取付部に対して略垂直状の立上り片と該立上り片の頂部から内方に略水平状に形成された水平状頂片とからなる第２終端立上り部が形成され、前記第１終端立上り部は前記第２終端立上り部よりも高く形成されてなる外囲体としたことにより上記課題を解決したものである。
【発明の効果】
【００１０】
請求項１の発明は、カバー材の幅方向の一方側を嵌合部とし、他方側を挿入部としたので、下地部上に並設された建築用板において、隣接の一方の建築用板の被挿入空隙部に前記カバー材の挿入部を挿入することで、カバー材の幅方向一方側の固定ができ、カバー材の幅方向のもう一方側は、前記挿入部側に沿ってカバー材をスライド状に移動させるように押し付けることで、極めて簡易且つ迅速にカバー材の嵌合部を建築用板の被嵌合部に嵌合することができるものである。また、カバー材の幅方向の一方側を嵌合部とし、他方側を挿入部としており、その他方側を建築用板の被挿入空隙部に挿入して他方側を建築用板の被嵌合部に嵌合するものであるから、カバー材の挿入部が弾性体となってスプリングバック特性を有するものとなり、カバー材の嵌合部と建築用板の被嵌合部との嵌合状態を極めて強固にすることができるものである。
【００１１】
次に、請求項２の発明によって、建築用板の被挿入空隙部は、主板の幅方向の一方側より内方に向かって形成された折返し部と、前記主板から外方に突出する第１取付部とによって形成されたものであり、前記カバー材の挿入部が前記被挿入空隙部に挿入されることにより、カバー材の幅方向の一方側が容易に固定され、そのカバー材の幅方向の他方側を前記建築用板の被嵌合部に押さえつけるようにするのみで簡単にカバー材を隣接する建築用板間に装着することがでる。
【００１２】
このように、カバー材の幅方向両側を隣接する建築用板に対して嵌合構造で固定するものではなく、カバー材の一方が挿入構造で固定され、他方側のみを嵌合構造による固定としているので、嵌合作業における力も少なく、且つカバー材の嵌合時における押圧力も、カバー材の幅方向の一方に集中的にかけることができ、嵌合部の弾性変形を容易にさせ、嵌合作業を容易にすることができるものである。
【００１３】
次に、請求項３の発明は、前記カバー材の挿入部は、前記建築用板の被挿入空隙部に対して前記折返し部と第１取付部に押圧接触した状態で挿入するので、この箇所における雨水等の水の浸入を防止することができる。次に、請求項４の発明は、前記カバー材の挿入部は、略平坦状の挿入板片と、該挿入板片の先端から折返して形成された弾性板片とからなるので、挿入部は、建築用板の被挿入空隙部に挿入された状態で、該被挿入空隙部の折返し部と第１取付板との間で前記挿入板片と弾性板片とが適宜の圧力を有して接触することになり、これによって、挿入部は、被挿入空隙部内に強固に固定することができるものである。また、挿入部は挿入板片と弾性板片とから構成され、前記挿入板片と弾性板片とが被挿入空隙部を構成する折返し部及び第１取付部に接触し、これによって、カバー材の挿入部と、建築用板の被挿入空隙部との間における水密性を良好にしている。
【００１４】
請求項５の発明によって、前記建築用板の主板及びカバー材のカバー主板部は、多数の平坦面が連続して断面略多角形状のアーチとしているので、主板及びカバー主板部は、その断面係数が増加し、力学的強度が向上し、極めて強固な外囲体を施工することができ、また、多角形状のアーチとしたことにより、多面体となり、特に太陽光の反射等により、その外観が微妙に変化し、優れたデザインにすることができる。次に請求項６の発明によって、主板の山形部間に形成された連結底面は、前記下地部との間に適宜に間隔を有しているので、強風等によって生じる建築用板の振動に対して、下地部と連結底面とが当接しにくい状態となり、衝突音等の騒音を発生することを防止できるものである。
【００１５】
請求項７の発明は、前記建築用板の折返し部は主板の外端から内方に向かって主板側に傾斜しているので、被挿入空隙部は、その内部に向かうにしたがい次第に広くなる構造となっている。すなわち、被挿入空隙部に入り口が狭く、内部に向かって広くなっているので、挿入部を被挿入空隙部に挿入し易く、作業を容易にしている。また、被挿入空隙部に挿入された挿入部を主板と折返し部との屈曲箇所で挿入部を強固に押さえつけることができ、挿入部を被挿入空隙部内に強固に固定することができる。請求項８の発明によって、前記建築用板の挿入空隙部に対してカバー材の挿入部が適正な挿入状態からさらに幅方向に移動可能となり、下地部が不陸状態であっても、カバー材は隣接する建築用板間に良好に装着できる。また、建築用板及びカバー材の幅方向における熱伸縮にも良好に対応することができる。
【００１６】
次に、請求項９の発明は、前記建築用板を上下方向に施工するときに、上下に隣接する下部の建築用板の第１終端立上り部が上方に隣接する次位の建築用板の第２取付部を支持することができ、施工作業を安全且つ容易にできる。さらに、下地部が不陸面であって、その隣接する建築用板の第１終端立上り部と第２終端部立上り部と段違い面が生じていても、第１終端立上り部が第２終端部立上り部よりも高く形成されているので、前記第２終端部立上り部は段違いを第１終端立上り部内で上下方向に位置を移動でき、隣接する建築用板同士の接合性及び防水性等を良好にでき、不陸面に対して充分且つ良好に対応することができる。
【発明を実施するための最良の形態】
【００１７】
以下、本発明の実施形態を図面に基づいて説明する。本発明の構成は、図１に示すように、建築用板Ａとカバー材Ｂとから構成される。その建築用板Ａ及びカバー材Ｂは、金属板材により成形されたものであって、図２に示すように、主に主板１と、被挿入空隙部Ｓと被嵌合部４とから構成される。その被挿入空隙部Ｓは、図２（Ｂ）において右側に示されており、被嵌合部４は図２（Ｂ）において左側に形成されている。また、前記被挿入空隙部Ｓは、図２（Ａ），（Ｂ）に示すように、折返し部２と第１取付部３とから構成される。その主板１は、断面略円弧アーチ形状とした複数の山形部１ａ，１ａ，…が並列して形成されたものである。図２（Ａ），（Ｂ）の実施形態では、主板１は二つの山形部１ａ，１ａから構成されたものである。
【００１８】
また、各山形部１ａの形状は、前述したように略円弧アーチ状であるが、必ずしも真円の弧とするものではなく、非真円又は適当な曲線によるアーチ形状でも構わない。前記被挿入空隙部Ｓは、前記主板１の山形部１ａの高さ方向において略最低位置に位置することになる。すなわち、前記折返し部２は、主板１の山形部１ａの高さ方向において最低位置に位置するものであり、前記第１取付部３は、前記折返し部２よりもさらに低い位置に設定されるものであり、これによって前記被挿入空隙部Ｓは、必然的に主板１の最低位置に位置することになるものである。その山形部１ａは、図２（Ａ），図４（Ａ），（Ｂ）等に示すように、多数の平坦面１ａ1 ，１ａ1 ，…が連続して断面略多角形状のアーチとして形成されている。この断面多角アーチ形状とした実施例では、隣接する平坦面１ａ1 ，１ａ1 同士は適宜の角度で折れ線形状を構成している。また、その平坦面１ａ1 は、山形部１ａの幅方向寸法に対して狭幅に形成されたものである。
【００１９】
その主板１において、並列する複数の山形部１ａ，１ａ同士の間には、連結底面１ｂが形成されている。該連結底面１ｂは、僅かの幅で且つ平坦状に形成されたものであり、隣接する山形部１ａ，１ａが直接連続するものではなく、連結底面１ｂを介して連続するようにしたものである。この連結底面１ｂは、図１（Ａ），図７（Ａ），（Ｂ）等に示すように、建築用板Ａにて壁，屋根等の外囲体を施工したときに、下地部１２から適宜の間隔Ｔを有するようになっている。このように、前記下地部１２との間に適宜に間隔Ｔを有しているので、強風等によって生じる建築用板Ａの振動に対して、図７（Ｂ）に示すように、下地部１２と連結底面１ｂとが当接しにくい状態であり、騒音を発生することを防止できるものである。
【００２０】
その建築用板Ａの幅方向一端側には、図２（Ａ）に示すように、折返し部２が形成される。該折返し部２は、具体的には、建築用板Ａの主板１の幅方向一端側から、該主板１の内方側に向かって折り返し形成されたものであり、且つその内端側が前記主板１の形成側に向かって傾斜する傾斜面状に形成されている。その折返し部２の主板１における幅方向の内方側端部から前記主板１の幅方向の外方に突出するようにして第１取付部３が形成される。該第１取付部３は、前記折返し部２に対して、連結屈曲片２ａによって連続形成されたものである。
【００２１】
そして、前述したように、前記折返し部２と第１取付部３とは、前記連結屈曲片２ａによって、適宜に間隔をおいて対向し、前述の被挿入空隙部Ｓを形成する。その被挿入空隙部Ｓは、図２（Ｂ）に示すように、前記主板１の内方側（奥側），すなわち前記折返し部２の内端側に向かうにしたがい、前記折返し部２と第１取付部３との間隔が次第に大きくなるように構成されている。換言すると、前記被挿入空隙部Ｓは、その内端部側（主板１側）に向かうに従い、次第にその空間が広くなるように形成されたものである。
【００２２】
前記第１取付部３は、前記主板１に形成された前記折返し部２の内端から、主板１の外方に向かって形成されたもので、前記折返し部２と重なる領域と、前記主板１の外方に突出する領域とが存在する。そして、図２（Ｂ）に示すように、前記第１取付部３における折返し部２との重なる領域が被挿入支持領域３ａと称する。また前記第１取付部３が主板１の外方に突出する領域を突出領域３ｂと称する。前記被挿入支持領域３ａ及び突出領域３ｂともに平坦状である。前記被挿入支持領域３ａは、前記折返し部２とともに、被挿入空隙部Ｓを構成する部分である。
【００２３】
また、前記突出領域３ｂは、前記下地部に固定するためのドリルビス等の固着具１１を装着するものであり、第１取付部３を下地部に固定する役目をなすものである。この突出領域３ｂには、図２（Ａ），（Ｂ），（Ｄ）に示すように、前記固着具１１を正確な位置に装着するための目印部３ｂ1 が形成されている。該目印部３ｂ1 は、建築用板Ａの長手方向に沿って、線又は筋形状の溝としてにプレス成形されたものである。図２（Ｄ）は、その目印部３ｂ1 の形状を示すものであって、図２（Ｂ）のイ部拡大断面図である。
【００２４】
その固着具１１の先端を目印部３ｂ1 を目指してねじ込むことで、正確な位置決めができ、良好な施工ができる〔図２（Ｂ）において固着具１１を示す想像線参照〕。また、前記目印部３ｂ1 は、単にケガキ線にて記入されることもある。この目印部３ｂ1 は、必ずしも形成される必要はない。その第１取付部３の外端には、第１終端立上り部５が形成されている〔図２（Ｂ）の右端部参照〕。該第１終端立上り部５は、前記第１取付部３の外端から略垂直状に形成された立上り片５ａと、該立上り片５ａの頂部から建築用板Ａの外方に水平状に形成板片として形成された水平状頂片５ｂとから構成されている。
【００２５】
次に、前記主板１の幅方向他方側には、被嵌合部４が形成されている〔図２（Ｂ）左側参照〕。該被嵌合部４は、図２（Ｃ）に示すように、被嵌合立上り片４ａと、被嵌合頂片４ｂとから構成されている。また、被嵌合部４は、主板１の山形部１ａの幅方向端部から直接形成されず、水平状端片１ｃを介して連続形成されている。該水平状端片１ｃは、適宜の幅を有しており、前記連結底面１ｂと同様に外囲体を施工したときに、下地部１２から適宜の間隔Ｔを有するようになっている（図１参照）。そして、その間隔Ｔによって、建築用板Ａが強風等により振動しても水平状端片１ｃ箇所が下地部１２に当接することなく、騒音の発生を防止するものである。
【００２６】
その被嵌合部４は、図２（Ｂ），（Ｃ）に示すように、建築用板Ａを成形する金属板を略逆Ｕ字形状に折り返して、垂直状の立上り部位として被嵌合立上り部４ａを形成し、該被嵌合立上り部４ａの頂部から主板１側に向かって傾斜状に形成された被嵌合突片４ｂが形成されている。また被嵌合立上り部４ａの下端には、被嵌合底片４ｃが形成されている。その被嵌合底片４ｃと主板１との間には被嵌合傾斜片４ｄが形成されている。該被嵌合傾斜片４ｄは、前記建築用板Ａの端部に形成された水平状端片１ｃに連続して形成されたものであり、該水平状端片１ｃの外端から下向き傾斜状となるように形成されている。換言すると、前記被嵌合傾斜片４ｄは、建築用板Ａの外方且つ下向きに形成されたものである。
【００２７】
さらに、前記被被嵌合部４の外方、すなわち被嵌合立上り部４ａの下端から前記主板１の外方に向かって第２取付部６が形成されている〔図２（Ａ），（Ｂ）参照〕。その第２取付部６の外端には、第２終端部立上り部７が形成されている。その第２取付部６は、平坦面の適宜幅の底面部６ａを有しており、該底面部６ａは、前記第１取付部３の被挿入支持領域３ａ，突出領域３ｂと同一面上（略同一面上も含む）に位置する。そして、この第２取付部６の底面部６ａにも、図２（Ｂ），（Ｄ）に示すように、前記固着具１１を装着するための目印部６ａ1 が形成されている。その目印部６ａ1 は、線状又は筋状の溝としてプレス成形されたものや、単にケガキ線にて記入されたものである。また、この目印部６ａ1 は、必ずしも形成される必要はない。
【００２８】
次に、第２終端部立上り部７は、前記第２取付部６の外端から略垂直状の立上り片７ａが形成され、該立上り片７ａの頂部から建築用板Ａの内方（主板１側）に向かって、水平状頂片７ｂが形成されたものである。そして、前記第１終端立上り部５は、この第２終端部立上り部７よりも高く形成されている〔図１（Ｂ）参照〕。すなわち、第１終端立上り部５の立上り片５ａが、第２終端部立上り部７の立上り片７ａよりも高く形成されている。そして、隣接する建築用板Ａの第１終端立上り部５の立上り片５ａと、次位の建築用板Ａの第２終端部立上り部７の立上り片７ａとを当接すると、第１終端立上り部５の立上り片５ａの下方に、第２終端部立上り部７の立上り片７ａが位置することになる。このように、建築用板Ａに第１終端立上り部５と第２終端部立上り部７は、複数の建築用板Ａ，Ａ，…を下地部１２上に配置したときの位置決めの役目をなすものである。
【００２９】
また、壁，屋根等の施工において、複数の建築用板Ａ，Ａ，…を上下方向（屋根施工の場合には、傾斜下地部の水上から水下）に配置するときには、その建築用板Ａの第１終端立上り部５を上方側とし、第２終端部立上り部７を下方側として下地部１２に固着することで、前記第１終端立上り部５は、前記下地部１２とによって、樋形又は溝形のポケット形状部が構成される〔図１２（Ａ），（Ｃ）参照〕。そして、前記建築用板Ａの第１終端立上り部５のポケット形状部がその上方に隣接して下地部１２に設置しようとする次位の建築用板Ａの第２終端部立上り部７を収納支持することによって、その次位の建築用板Ａの第１終端立上り部５及び第２終端部立上り部７を下地部１２に固着具によって固定する作業を行い易くすることができるものである〔図１２（Ｂ）参照〕。
【００３０】
さらに、前記第１終端立上り部５は前記第２終端立上り部７よりも高く形成することにより、図１１（Ａ）に示すように、前述したように下地部１２が不陸状態の場合に、その不陸による影響で第２終端部立上り部７の上下に位置が変動しても、第２終端部立上り部７よりも高く形成された第１終端立上り部５がその第２終端部立上り部７の変動に対して充分に対応することができる不陸による不都合を防止できる。
【００３１】
すなわち、前記下地部１２が不陸面であって、その隣接する建築用板Ａ，Ａの第１終端立上り部５と第２終端部立上り部７とが相互に段違いとなっても、前記第１終端立上り部５が第２終端部立上り部７よりも高く形成されたものであるため、前記第２終端部立上り部７は段違いによる段差Ｈを第１終端立上り部内で上下方向に位置の移動が可能である。そのために、段差Ｈによる段違いを吸収しつつ前記第１終端立上り部５と第２終端立上り部７との接合状態を良好に維持し、不陸面に充分に対応することができるものである〔図１１（Ａ）参照〕。
【００３２】
ここで、前述した主板１の山形部１ａ，１ａ間に形成されている連結底面１ｂは、前記第１取付部３と第２取付部６よりも上方側に位置するように形成されている。これによって、前記建築用板Ａが前記下地部１２上に配置されたときには、連結底面１ｂは、必然的に下地部１２との間に間隔Ｔとした隙間を生じさせることができ、建築用板Ａが強風等により振動しても連結底面１ｂ箇所が下地部１２に当接することなく、騒音の発生を防止するものである。また、前記山形部１ａ，１ａ，…は、前述したように円弧状に形成されるものとしたが、図１０に示すように、山形部１ａのその他の形状の実施例として、台形山形状に形成されることもある。
【００３３】
本発明では、複数の建築用板Ａ，Ａ，…にて壁を施工する場合において、その建築用板Ａの幅方向を横方向にして施工する場合には、複数の建築用板Ａ，Ａ，…を建築物の壁下地部の左端から右端に向かって配置したり、又は右端から左端に向かって配置することが可能であり、いずれの方向からでも施工ができるものである。これは、本発明における外囲体を屋根とした場合でも同様であり、複数の建築用板Ａ，Ａ，…を屋根下地部の左端から右端に向かって配置したり、又は右端から左端に向かって配置することができる。
【００３４】
また、複数の建築用板Ａ，Ａ，…を下地部１２に並設してから、隣接する建築用板Ａ，Ａ同士にカバー材Ｂを装着してもよいし、建築用板Ａを下地部１２上にするごとに、隣接する建築用板Ａ，Ａにカバー材Ｂを装着してゆくこともできる。これは、カバー材Ｂの幅方向の一方側を嵌合部８とし、他方側を挿入部９としたもので、僅かな寸法誤差又は施工位置の誤差は、建築用板Ａの被挿入空隙部Ｓとカバー材Ｂの挿入部９との挿入箇所で吸収することができるからである。このように、本発明における建築用板Ａは、その施工の方向及び順序が限定されるものではない。
【００３５】
次に、カバー材Ｂは、図３（Ａ），（Ｂ）に示すように、カバー主板部１０の幅方向一端側より外方に突出形成された嵌合部８と、前記カバー主板部１０の幅方向他端側から内方に向かって形成された挿入部９とから構成されている。前記カバー主板部１０の形状は、前述の建築用板Ａに形成されている山形部１ａと同等形状とした山形カバー面１０ａを有しもので、断面略円弧アーチ形状をなしている。このカバー主板部１０の山形カバー面１０ａには、前述した建築用板Ａの山形部１ａと同様に、多数の平坦面１０ａ1 ，１０ａ1 ，…が連続して断面略多角形状のアーチが構成される実施例とすることもある〔図４（Ａ），（Ｂ）参照〕。また、前記山形カバー面１０ａは、前述したように円弧状に形成されるものとしたが、図１０に示すように、山形カバー面１０ａのその他の形状の実施例として、台形山形状に形成されることもある。これは、前述したように、建築用板Ａの山形部１ａを台形山形状としたものに対応させるものである。
【００３６】
前記嵌合部８は、図３（Ａ），（Ｂ）に示すように、前記カバー主板部１０の幅方向一端から内方に向かって僅かな幅の平坦状な面となる嵌合平坦面８ａが形成されている。そして、該嵌合平坦面８ａから第１嵌合片８ｂが形成されている。該第１嵌合片８ｂは、カバー主板部１０の反対側（カバー主板部１０の幅方向一方側）に向かって突出し、且つカバー主板部１０の裏面から離れるようにして傾斜状に形成されている。そして、その第１嵌合片８ｂの端部から第２嵌合片８ｃが形成され、該第２嵌合片８ｃの端部から第３嵌合片８ｄが形成されている。
【００３７】
その第２嵌合片８ｃは、前記第１嵌合片８ｂの端部から前記カバー主板部１０の裏面側に近づくように屈曲形成されたものである。さらに第２嵌合片８ｃの先端から前記カバー主板部１０の裏面側且つ前記嵌合平坦面８ａ及びカバー主板部１０の裏面側に近づくようにして第３嵌合片８ｄが傾斜形成されている。その第３嵌合片８ｄの先端から嵌合端縁８ｅがカバー主板部１０の幅方向端部に向かって傾斜状に形成されている。
【００３８】
上記第１嵌合片８ｂ，第２嵌合片８ｃ，第３嵌合片８ｄ及び嵌合端縁８ｅは、図３（Ｂ）に示すように、略四辺形を構成している。前記嵌合部８を構成する嵌合平坦面８ａ，第１嵌合片８ｂ，第２嵌合片８ｃ，第３嵌合片８ｄ及び嵌合端縁８ｅは、それぞれの隣り合う屈曲箇所が前記建築用板Ａの被嵌合部４に押圧力を有して当接し、強固な嵌合状態にすることができる（図６参照）。また、前記被嵌合部４と前記嵌合部８との嵌合状態において、第１嵌合片８ｂ，第２嵌合片８ｃ，第３嵌合片８ｄが被嵌合部４とともに複数の当接箇所と空隙室を構成し、これらが相乗的に作用して水密性を有し、雨水の浸入を遮断することができる。
【００３９】
前記挿入部９は、図３（Ｂ）に示すように、平坦状に形成された挿入板片９ａを有している。そして、その挿入板片９ａの外端から裏面側又は表面側で主板１側に向かって折り返されるようにして弾性板片９ｂが形成されている。該弾性板片９ｂは、挿入部９から拡開するように弾性力が与えられたものである。該挿入部９は、前記建築用板Ａの被挿入空隙部Ｓに挿入される部位である。
【００４０】
また、弾性板片９ｂは、挿入部９が被挿入空隙部Ｓに挿入された状態で、該被挿入空隙部Ｓの折返し部２と被挿入支持領域３ａとの間で前記挿入板片９ａと弾性板片９ｂとが適宜の押圧力を有して押圧接触するようにしたものである（図５参照）。これによって、挿入部９は、被挿入空隙部Ｓ内に強固に固定することができる。また、挿入部９の挿入板片９ａと弾性板片９ｂとが被挿入空隙部Ｓを構成する折返し部２と第１取付部３とにそれぞれ当接することで、被挿入空隙部Ｓと挿入部９とが２箇所の当接部分を形成し、さらにその２箇所の当接部分間で空隙室を構成することにより、水密性を有し、雨水の浸入を遮断することができる。
【００４１】
また、前記被挿入空隙部Ｓと、該被挿入空隙部Ｓに挿入された挿入部９の先端との間には隙間ｔが存在するようにしている。この隙間ｔは、被挿入空隙部Ｓに挿入部９が適正に挿入された状態（適正な挿入状態）で、該挿入部９の幅方向に移動することができるようにしたものである。これによって、カバー材Ｂ及び建築用板Ａの寸法誤差を吸収することができるし、建築用板Ａ及びカバー材Ｂのそれぞれの幅方向における熱伸縮に対しても、前記被挿入空隙部Ｓに対して前記挿入部９が挿入領域にて移動することで、充分に対応することができる〔図１１（Ｂ）参照〕。さらに、下地部１２が不陸状態のときに、建築用板Ａとカバー材Ｂとが、その不陸面にしたがって、略折れ線状態となっても、前述したように、前記挿入部９が被挿入空隙部Ｓ内に存在する隙間ｔの範囲を移動し、建築用板Ａとカバー材Ｂとを不陸面に馴染むように設置することができるものである〔図１１（Ａ）参照〕。
【００４２】
次に、前記建築用板Ａ及びカバー材Ｂにて壁、屋根等の外囲体を施工することについて説明する。まず、胴縁，母屋等の下地部１２に複数の前記建築用板Ａ，Ａ，…が並列に配置される。そして、各建築用板Ａの第１取付部３及び第２取付部６にドリルビス等の固着具１１にて、前記建築用板Ａが下地部１２に固着される〔図９（Ａ）参照〕。このとき、隣接する建築用板Ａ，Ａの第１取付部３の第１終端立上り部５と、第２取付部６の第２終端部７とが当接するようにして設置される。次に、カバー材Ｂの挿入部９が隣接する建築用板Ａ，Ａ間に配置され〔図９（Ｂ）参照〕、その隣接する一方の建築用板Ａの被挿入空隙部Ｓにカバー材Ｂの挿入部９が挿入される〔図９（Ｃ）参照〕。そして、次にその被挿入空隙部Ｓに挿入された挿入部９箇所とともに、前記カバー材Ｂをスライド状に移動させるようにして他方側の嵌合部８を前記建築用板Ａに隣接する次位の建築用板Ａの被嵌合部４側に押しつけるようにする。
【００４３】
前記カバー材Ｂは、そのカバー主板部１０及び嵌合部８が被嵌合部４に当接するとともに、前記カバー主板部１０が押さえつけられることにより、嵌合部８は弾性範囲内で適宜に変形して、被嵌合部４と嵌合部８との嵌合が行われる。具体的には、カバー材Ｂの嵌合部８が被嵌合部４に向かって押圧されて、その嵌合部８の第２嵌合片８ｃが被嵌合部４の被嵌合頂片４ｂの外面側に当接し、嵌合部８が被嵌合部４に嵌合可能な程度に扁平状態に弾性的に変形する。そして、前記被嵌合部４に対して嵌合部８は、嵌りやすい形状となり、前記嵌合部８が被嵌合部４の被嵌合頂片４ｂの内部にスライドするようにして入り込む〔図９（Ｄ）参照〕。
【００４４】
その被嵌合部４に入り込んだ嵌合部８は、図６に示すように、弾性復元力によって、形状が復元し、前記第２嵌合片８ｃの先端が被嵌合立上り片４ａに押圧力を有して当接し、第３嵌合片８ｄが被嵌合頂片４ｂの裏面に押圧力を有して当接する。さらに、第１嵌合片８ｂは、被嵌合頂片４ｂの被嵌合傾斜片４ｄに当接することによって、嵌合部８は被嵌合部４に抱持状態で嵌合されることになる。そして、嵌合部８の第１嵌合片８ｂは被嵌合部４の被嵌合傾斜片４ｄに押さえつけられた状態となり、嵌合部８が被嵌合部４から外れにくい状態を構成することができる。
【００４５】
さらに、嵌合部８を被嵌合部４に嵌合する際に、被嵌合傾斜片４ｄが嵌合部８の第１嵌合片８ｂを被嵌合部４の内部に送り込むガイドの役目をなすものとなり、嵌合作業を効率の良いものにすることができる。さらに、前記カバー材Ｂの挿入部９は、建築用板Ａの被挿入空隙部Ｓに挿入して、その挿入部９とともに嵌合部８を被嵌合部４に向かって押さえつけるようにしつつ、スライド状に移動させて被嵌合部４に嵌合することで、前記挿入部９の弾性によるスプリングバック特性により、嵌合部８と被嵌合部４とが相互に押圧力を生じて当接し、より強固なる嵌合状態を発揮するものである（図５，図６参照）。
【００４６】
本発明は、このように、カバー材Ｂの幅方向の一方側を嵌合部８とし、他方側を挿入部９としたので、隣接する建築用板Ａ，Ａにカバー材Ｂを装着するときに、カバー材Ｂの挿入部９を建築用板Ａの被挿入空隙部Ｓに挿入することで、カバー材Ｂの幅方向一方側の固定ができる。すなわち、建築用板Ａとカバー材Ｂとからなる壁，屋根等の外囲体として、横張り工法に好適なものである。そして、カバー材Ｂの幅方向のもう一方側は、前記挿入部９側とともにカバー材Ｂの嵌合部８をスライド状に移動させて、前記建築用板Ａに隣接する次位の建築用板Ａの被嵌合部４に押し付けることにより、極めて簡単に嵌合部８を被嵌合部４に嵌合することができるものである。
【図面の簡単な説明】
【００４７】
【図１】（Ａ）は本発明における外囲体の正面略示図、（Ｂ）は（Ａ）の要部拡大断面図である。
【図２】（Ａ）は建築用板の斜視図、（Ｂ）は建築用板の縦断正面図、（Ｃ）は被嵌合部の拡大断面図、（Ｄ）は（Ｂ）のイ部拡大断面である。
【図３】（Ａ）はカバー材の斜視図、（Ｂ）はカバー材の縦断正面図である。
【図４】（Ａ）は建築用板の山形部（カバー材の山形カバー面）の要部拡大断面図、（Ｂ）は（Ａ）の平坦面の拡大図である。
【図５】被挿入空隙部に挿入部が適正状態で挿入された拡大断面図である。
【図６】被嵌合部に嵌合部が嵌合された状態を示す拡大断面図である。
【図７】（Ａ）は建築用板の連結底面及び水平状端片と下地部との間に適宜の間隔が形成された状態を示す略示図、（Ｂ）は（Ａ）の要部拡大断面図である。
【図８】（Ａ）は山形部に平坦面が形成されない実施例の建築用板の斜視図、（Ｂ）は山形カバー面に平坦面が形成されない実施例のカバー材の斜視図である。
【図９】（Ａ）乃至（Ｄ）は隣接する建築用板間にカバー材を装着する工程図である。
【図１０】（Ａ）は建築用板の山形部及びカバー材の山形カバー面を台形状とした外囲体の正面略示図、（Ｂ）は（Ａ）の要部拡大断面図である。
【図１１】（Ａ）は建築用板とカバー材とが下地部が不陸状態に対応する状態を示す要部拡大断面図、（Ｂ）は被挿入空隙部に挿入した挿入部が熱伸縮に対応する状態を示す作用図である。
【図１２】（Ａ）は建築用板を上下方向に施工する工程を示す略示図、（Ｂ）は下地部に固着した建築用板の第１終端立上り部箇所で次位の建築用板を支持している工程を示す略示図、（Ｃ）は下地部と建築用板の第１終端立上り部によってポケット状の溝が形成された状態を示す拡大断面図である。
【符号の説明】
【００４８】
Ａ…建築用板、Ｂ…カバー材、Ｓ…被挿入空隙部、１…主板、１ａ…山形部、
２…折返し部、３…第１取付部、４…被嵌合部、５…第１終端立上り部、
５ａ…立上り片、５ｂ…水平状頂片、６…第２取付部、７…第２終端立上り部、
７ａ…立上り片、７ｂ…水平状頂片、８…嵌合部、９…挿入部、９ａ…挿入板片、
９ｂ…弾性板片、１０…カバー主板部、１２…下地部。
【図１】
2006161422.tif 000003
【図２】
2006161422.tif 000004
【図３】
2006161422.tif 000005
【図４】
2006161422.tif 000006
【図５】
2006161422.tif 000007
【図６】
2006161422.tif 000008
【図７】
2006161422.tif 000009
【図８】
2006161422.tif 000010
【図９】
2006161422.tif 000011
【図１０】
2006161422.tif 000012
【図１１】
2006161422.tif 000013
【図１２】
2006161422.tif 000014